(57)【要約】【課題】  色覚異常者であっても色情報の識別を行うことのできる画像形成装置を提供する。【解決手段】  表示されたカラーサンプル２００に対して操作パネル１０７上で作成された色変換パターンを基に、操作パネル１０７上に表示する入力画像データの変換イメージ作成及び入力画像データに対する色変換処理を行う画像処理ユニット１０３を備えた画像形成装置。【選択図】  図１
2007004310.tif 000002
【特許請求の範囲】
【請求項１】
内蔵のスキャナ、あるいは外部接続されたＰＣから入力された画像データを操作部画面上にイメージ表示可能で、画像の色情報を操作者の設定した色成分の組み合わせに応じて変換し、その変換結果を操作部画面上で実際の出力イメージとして確認した上で入力画像データに対して前記色変換処理を行い出力する画像形成装置において、
出力する画像イメージを出力前に表示する画像表示手段と、色変換用のカラーチャートあるいは予め設定してある色変換設定を表示し色変換情報を入力する色変換情報入力手段と、設定された色変換情報を記憶しておく色変換情報記憶手段と、入力画像データに対して色変換処理を行う色変換処理手段と、を備えたことを特徴とする画像形成装置。
【請求項２】
請求項１に記載の画像形成装置において、操作部上に表示する基本色のカラーサンプルをＲＧＢＣＭＹの６色として各色が互いに全ての色に接するサンプルパターンを表示し、操作者に隣り合った色の違いを認識できない組合わせを指定させることで色成分変換情報を得ることを特徴とする画像形成装置。
【請求項３】
請求項１又は２に記載の画像形成装置において、操作者が選択した変換パターンによってＲ成分に対する検知不足が認識された場合、あるいは予め用意したＲ成分に対する検知不足を補う変換パターンを用いる場合に、前記Ｒ成分の大小に応じてＧ成分とＢ成分の値を増減させる色変換処理を行うことを特徴とする画像形成装置。
【請求項４】
請求項３に記載の画像形成装置において、前記Ｇ成分またはＢ成分のうちの大きい方の値が前記Ｒ成分の値と等しくなるように前記Ｇ成分とＢ成分に変倍処理を行うことを特徴とする画像形成装置。
【請求項５】
請求項１又は２に記載の画像形成装置において、操作者が選択した変換パターンによって前記Ｇ成分に対する検知不足が認識された場合、あるいはあらかじめ用意したＧ成分に対する検知不足を補う変換パターンを用いる場合に、前記Ｇ成分の大小に応じて前記Ｒ成分とＢ成分の値を増減させる色変換処理を行うことを特徴とする画像形成装置。
【請求項６】
請求項５に記載の画像形成装置において、前記Ｒ成分またはＢ成分のうちの大きい方の値が前記Ｇ成分の値と等しくなるように前記Ｒ成分とＢ成分に変倍処理を行うことを特徴とする画像形成装置。
【請求項７】
請求項１又は２に記載の画像形成装置において、操作者が選択した変換パターンによって前記Ｂ成分に対する検知不足が認識された場合、あるいはあらかじめ用意したＢ成分に対する検知不足を補う変換パターンを用いる場合に、前記Ｂ成分の大小に応じて前記Ｒ成分とＧ成分の値を増減させる色変換処理を行うことを特徴とする画像形成装置。
【請求項８】
請求項７に記載の画像形成装置において、前記Ｒ成分またはＧ成分のうちの大きい方の値が前記Ｂ成分の値と等しくなるように前記Ｒ成分とＧ成分に変倍処理を行うことを特徴とする画像形成装置。
【発明の詳細な説明】
【技術分野】
【０００１】
本発明は、カラー表示あるいはカラー出力機能を持つ画像形成装置に関する。
【背景技術】
【０００２】
近年、複写機やプリンタのカラー化が進み、ビジネス文書などにも複数の色を使用したものが増えてきている。様々な色を用いて作成した文書は多くの人にとっては見やすいものとなるが、色の判別が困難な人々にとっては逆に色の違いで与えられた情報を読み取ることができず、分かりにくい文書となってしまう。
この色覚への対策として、特定の登録した色を別の色に変更して出力する機能が提示されている（特許文献１参照）。また、登録した色を紙に出力し、その色見本を操作パネル上に掲示可能とすることで操作者に現在登録されている色変換処理の内容を示している。
また、入力した画像イメージを操作パネルに表示し、特定の色成分を指定してその濃度を調整する機能や、上記変換後のイメージを操作パネルに表示する機能は、例えば特許文献２に開示されている。
【特許文献１】特開２０００−３５７０８公報
【特許文献２】特開平０６−３４３１１９号公報
【発明の開示】
【発明が解決しようとする課題】
【０００３】
しかしながら上記従来技術では、色変換の見本が操作パネル上に掲示されているのみで実際の出力イメージがどのように変化するのかを確認することができない。
また原稿画像を操作部に表示し、調整後の結果を表示する技術は従来から存在しているが、ある範囲の色成分を別の系統の色成分に変換するような提案はされていない。
本発明は、色覚異常者であっても色情報の識別を行うことのできる画像形成装置を提供することを目的とする。
【課題を解決するための手段】
【０００４】
上記目的を達成するために、請求項１記載の発明は、内蔵のスキャナ、あるいは外部接続されたＰＣから入力された画像データを操作部画面上にイメージ表示可能で、画像の色情報を操作者の設定した色成分の組み合わせに応じて変換し、その変換結果を操作部画面上で実際の出力イメージとして確認した上で入力画像データに対して前記色変換処理を行い出力する画像形成装置において、出力する画像イメージを出力前に表示する画像表示手段と、色変換用のカラーチャートあるいは予め設定してある色変換設定を表示し色変換情報を入力する色変換情報入力手段と、設定された色変換情報を記憶しておく色変換情報記憶手段と、入力画像データに対して色変換処理を行う色変換処理手段と、を備えたことを特徴とする。
請求項２記載の発明は、請求項１に記載の画像形成装置において、操作部上に表示する基本色のカラーサンプルをＲＧＢＣＭＹの６色として各色が互いに全ての色に接するサンプルパターンを表示し、操作者に隣り合った色の違いを認識できない組合わせを指定させることで色成分変換情報を得ることを特徴とする。
請求項３記載の発明は、請求項１又は２に記載の画像形成装置において、操作者が選択した変換パターンによってＲ成分に対する検知不足が認識された場合、あるいは予め用意したＲ成分に対する検知不足を補う変換パターンを用いる場合に、前記Ｒ成分の大小に応じてＧ成分とＢ成分の値を増減させる色変換処理を行うことを特徴とする。
請求項４記載の発明は、請求項３に記載の画像形成装置において、前記Ｇ成分またはＢ成分のうちの大きい方の値が前記Ｒ成分の値と等しくなるように前記Ｇ成分とＢ成分に変倍処理を行うことを特徴とする。
請求項５記載の発明は、請求項１又は２に記載の画像形成装置において、操作者が選択した変換パターンによって前記Ｇ成分に対する検知不足が認識された場合、あるいはあらかじめ用意したＧ成分に対する検知不足を補う変換パターンを用いる場合に、前記Ｇ成分の大小に応じて前記Ｒ成分とＢ成分の値を増減させる色変換処理を行うことを特徴とする。
請求項６記載の発明は、請求項５に記載の画像形成装置において、前記Ｒ成分またはＢ成分のうちの大きい方の値が前記Ｇ成分の値と等しくなるように前記Ｒ成分とＢ成分に変倍処理を行うことを特徴とする。
請求項７記載の発明は、請求項１又は２に記載の画像形成装置において、操作者が選択した変換パターンによって前記Ｂ成分に対する検知不足が認識された場合、あるいはあらかじめ用意したＢ成分に対する検知不足を補う変換パターンを用いる場合に、前記Ｂ成分の大小に応じて前記Ｒ成分とＧ成分の値を増減させる色変換処理を行うことを特徴とする。
請求項８記載の発明は、請求項７に記載の画像形成装置において、前記Ｒ成分またはＧ成分のうちの大きい方の値が前記Ｂ成分の値と等しくなるように前記Ｒ成分とＧ成分に変倍処理を行うことを特徴とする。
【発明の効果】
【０００５】
本発明によれば、操作者の認識できる色の組み合わせと認識できない色の組み合わせを正確に反映させた色成分変換処理を行うことが可能な画像形成装置を提供することができる。
【発明を実施するための最良の形態】
【０００６】
以下、図面を参照して、本発明の実施形態を詳細に説明する。
以下に本発明を適用した画像形成装置の構成例としてデジタル複合複写機を示す。
図１は本発明の実施形態に係るデジタル複合複写機のシステム構成を示すブロック図である。デジタル複合複写機は、エンジン制御ユニット１０１、スキャナユニット１０２、画像処理ユニット１０３、書込みユニット１０４、各種センサ類１０５、シーケンス機器群１０６、操作パネル１０７、給紙装置１０８を備える。
次にデジタル複合複写機のシステム動作を説明する。コピー指示がなされた場合には、スキャナユニット１０２が原稿を読み取り、画像処理ユニット１０３に画像データを転送する。画像処理ユニット１０３では画質調整、変倍等を行い書込みユニット１０４に処理後のデータを送る。書込みユニット１０４は受け取ったデータに従ってレーザ素子を駆動し、感光体上に光書込みを行う。
これらの動作は各種センサ類１０５の入力を基にエンジン制御ユニット１０１によって制御され、給紙ユニット１０８からの転写紙の給紙、感光体の駆動、及び定着ユニットの加熱回転等を含むシーケンス機器群１０６も同様にエンジン制御ユニット１０１に制御されて記録紙に画像を形成する。また、操作者の指示は操作パネル１０７によってなされ、エンジン制御ユニット１０１に伝えられる。
本発明の画像形成装置は、操作パネル１０７の画面上にカラーサンプルを表示し、操作者が指定した基本色の組み合わせを基に色変換パターンを作成し、これを基に入力画像データの変換イメージを操作パネル１０７の画面上に表示確認した上で入力画像データに対して、画像処理ユニット１０３で色変換処理を行い、書込みユニット１０４で出力するものである。
【０００７】
図２、図３はカラーサンプルに基く各種色変換パターンを示す図である。その説明は後述する。
図４は操作者が操作パネル上で作成した色変換パターンを基に色変換処理を行う一連の動作を示すフローチャートである。
スキャナユニット１０２から入力された画像データ、あるいは入力後に蓄積されている画像の中で選択された画像データを入力して（Ｓ３０１）の画像イメージを操作パネル１０７の画面上に表示する（Ｓ３０２）。操作者は表示された画像イメージを確認し、必要ならば色変換等の指示を行う（Ｓ３０３）。この色変換情報は、操作者が操作パネル１０７に表示されたカラーサンプルから識別できる色や識別できない色を選択し、色変換パターンを作成する。これを基に色変換情報を算出する。色変換パターンを作成する手段としては、キー操作によるものやタッチパネル方式などが考えられる。
【０００８】
ここで色変換パターンについて、図２を基に説明する。操作パネル１０７にはＲＧＢＣＭＹの６色が互いに全ての色に接するカラーサンプル２００が表示される。操作者は隣り合った色との違いを認識できない色を指定する。
例えば図２（１）に示す色変換パターン２０１は、Ｐ１で示す位置にあるＲ成分が周囲と区別できない例を示している。図２（２）に示す色変換パターン２０２は、Ｐ２で示す位置にあるＧ成分が周囲と区別できない例を示している。図２（３）に示す色変換パターン２０３は、Ｐ３で示す位置にあるＢ成分が周囲と区別できない例を示している。
図３（１）に示す色変換パターン２０４は、Ｐ４で示す２つの位置にあるＣ成分が周囲と区別できない例を示している。図３（２）に示す色変換パターン２０５は、Ｐ５で示す２つの位置にあるＭ成分が周囲と区別できない例を示している。図３（３）に示す色変換パターン２０６は、Ｐ６で示す２つの位置にあるＹ成分が周囲と区別できない例を示している。
色変換の指示が行われると、つまり図２、図３示す色変換パターンのいずれかが作成されると、操作部パネル１０７上の画像イメージに指示された色変換が反映される（Ｓ３０４）。操作者はこの画像イメージを見て色変換のやり直しや取り消しなどの操作を行うことが可能である。
画像に対する指示を終えて画像形成動作の開始が指示されると（Ｓ３０５）、指示された色変更情報を画像処理ユニット１０３へ送信し（Ｓ３０６）、画像処理ユニット１０３は、その情報からＲＧＢの各基本成分のうちどの色成分に感度が不足しているかを算出して画像処理を実行（Ｓ３０７）した後に画像形成出力する（Ｓ３０８）。
【０００９】
ここでカラーサンプルとして、図２、３に示すＲＧＢＣＭＹの６色が互いに全ての色に接するカラーサンプル２００（各色変換パターンの基本となるもの；識別できない色を指定する前のもの）を示したが、別の形状でもよい。要は、色変換の指定を行うために、操作パネル１０７上に基本色を並べたカラーサンプルを表示し、操作者はカラーサンプル上で認識できない色の組み合わせ、すなわち同じ色に見える色の組み合わせを指定する。このとき上記組み合わせが複数存在する場合はそれらを全て選択する。このときの操作フローとしては、上記のように認識できない色の組合わせを指定しても良いし、逆に認識できる色の組合わせを指定する形をとっても同じことである。
なお、カラーサンプルの表示の仕方は基本色を一色ずつ並べる方法や一対ずつの色の組み合わせを並べる方法、順番に色の組み合わせを提示し見え方の確認を順次取っていく方法などさまざまな方法が考えられる。
【００１０】
（実施例１）
上記の処理において、操作パネル１０７上のカラーサンプル２００への指定によって算出した不感色がＲ成分であった場合、あるいはあらかじめ設定された色変換パターンがＲ成分を不感色としている場合、画像処理ユニット１０３では入力画像データのＲ成分の値に応じてＧ成分、Ｂ成分の値を変換する。
（実施例２）
操作パネル１０７上のカラーサンプル２００への指定によって算出した不感色がＲ成分であった場合、あるいはあらかじめ設定された色変換パターンがＲ成分を不感色としている場合、画像処理ユニット１０３では入力画像データのＧ成分とＢ成分の値の比率を保ったまま、Ｇ成分あるいはＢ成分のどちらか大きいほうの値がＲ成分の値と同じになるようにＧ成分とＢ成分を変換する（変倍処理する）。Ｇ成分、Ｂ成分を不感色としている場合も同様である。
不感色に設定した色成分の値に応じてその他の色成分の値を変換するものであれば本発明が適用可能である。
【図面の簡単な説明】
【００１１】
【図１】本発明の実施形態に係るデジタル複合複写機のシステム構成を示すブロック図である。
【図２】カラーサンプルに基く各種色変換パターンを示す図である。
【図３】カラーサンプルに基く各種色変換パターンを示す図である。
【図４】操作者が操作パネル上で作成した色変換パターンを基に色変換処理を行う一連の動作を示すフローチャートである。
【符号の説明】
【００１２】
１０３  画像処理ユニット
１０７  操作パネル
【図１】
2007004310.tif 000003
【図２】
2007004310.tif 000004
【図３】
2007004310.tif 000005
【図４】
2007004310.tif 000006